(57)【特許請求の範囲】
【請求項１】
大型コンクリ−トブロックの正面にウォ−ルポケットを嵌合するための段差付き凹部を形成して前記ウォ−ルポケットの背面を接触させ、且つウォ−ルポケットの内面に略面位置に連続して客土詰め込み用凹部を形成し、ウォ−ルポケットと前記ブロックの内面に固定金具をボルトで取付け、これを法面に沿って高さ方向に積み上げ、横方向に並べて設置することを特徴とするコンクリ−ト法面緑化用植栽方法。
【請求項２】
立方体を成す大型コンクリ−トブロック（１）の正面にウォ−ルポケット（３）の左右側面壁（５）・（５′）及び底面壁（６）と平面部（７）を嵌合する凹部（２）を形成し、且つ前記凹部の深さ方向（Ｄ）の途中にウォ−ルポケットの左右側面壁及び底面壁の背面部（８）が接する段差（２1 ）を設けると共に、前記ウォ−ルポケットの内面に略面位置の客土詰め込み用凹部（２）を形成し、且つウォ−ルポケットと前記ブロック（１）の内面に固定金具（９）をボルト（１０）で取付けたことを特徴とするコンクリ−ト法面緑化用植栽装置。
【発明の詳細な説明】
【０００１】
【産業上の利用分野】
本発明は、コンクリ−ト法面緑化用植栽方法及びその装置に関するもので、必要数の大型コンクリ−トブロックを工場生産して、これにウォ−ルポケットを取付けておき、順次出荷して施工現場に搬送してクレ−ンを使って順次に積み置き、重力式擁壁の緑化工事に当たり、現場での植栽作業を簡略且つ効率的に行えるようにしたことを目的とする。
【０００２】
【従来の技術】
一般に人工造成した法面は、そのままの状態では緑化環境が悪く、而も観光地や人目に触れる市街地及び住宅地において自然の景観に乏しい。
そこで、従来においても人工的に造成された法面に植栽や播種を施して法面緑化することは周知である。
例えば、本願出願人の考案に係る実公昭５５−３６５９４号（実用新案登録第１３７８４７０号）において、人工材料によるコンクリ−ト吹付け法面にポケット部を設けて客土を詰めた客土袋を植栽孔を残して埋設し、その植栽孔に背の低い樹木を植えることによって緑化できる工法を提供した。
またその後、実公平４−２１９４号において、植栽用容器の背面をコンクリ−ト法面等に設置するように配置し、前記容器に掛け回した棒状の抱持部材と底部の取付具とで法面に打ち込んだアンカ−で装着固定したプランタ−装置を提供し、さらに登録第２５１６０４８号の登録実用新案において、テラスの表面に各種のデザインを施し、これをコンクリ−ト擁壁に形成した凹部に嵌合固着したものを提供した。
そして、これらによって、特に人工造成地の景観及び環境の保護に寄与している。
【０００３】
【発明が解決しようとする課題】
ところが、上記前者の登録実用新案においては、既設のコンクリ−ト法面等に設置する場合は、客土袋を設置する部位の法面をはつって除去する必要があるが、前記のはつる作業が大仕事であって常に行えるとは限らない。
また後者の考案にあっては、植栽容器をコンクリ−ト法面等に載置する場合、その法面が比較的平滑であるから、仮止め的な引っ掛かりがなく、滑り易いため、アンカ−等で設置固定する作業が非常にし辛く、また危険であった。さらにテラスの表面に各種のデザイン表示したものを含め、いずれも取付け側は法面に凹部を形成するものであるから、現場作業に限られていた。
【０００４】
【課題を解決するための手段】
そこで、本発明は法面側のものでも現場以外で用意できるものは予め工場生産しておき、現場での作業を簡略化且つ効率的に行えるようにして従来技術の課題を解決し、且つ発明の目的を達成するために提供するものである。
すなわち本発明の第１は、コンクリ−ト法面緑化用植栽方法において、大型コンクリ−トブロックの正面にウォ−ルポケットを嵌合するための段差付き凹部を形成して前記ウォ−ルポケットの背面を接触させ、且つウォ−ルポケットの内面に略面位置に連続して客土詰め込み用凹部を形成し、ウォ−ルポケットと前記ブロックの内面に固定板をボルトで取付け、これを法面に沿って高さ方向に積み上げ、横方向に並べて設置するものである。
次に本発明の第２は、コンクリ−ト法面緑化用植栽装置において、略立方形の大型コンクリ−トブロックの正面にウォ−ルポケットの左右側面及び平面と底面を嵌合する凹部を形成し、且つ前記凹部の深さ方向の途中にウォ−ルポケットの左右側面壁及び底面壁の背面が接する段差を設けると共に、前記ウォ−ルポケットの内面に略面位置の客土詰め込み用凹部を形成し、且つウォ−ルポケットと前記ブロックの内面に固定板をボルトで取付けたものである。
【０００５】
【作用】
上記の手段に基づく作用は次の通りである。まず、生コンリ−トの流し込み用立方形の大型の箱枠を作り、且つその正面に位置する部位にウォ−ルポケットの嵌合用型枠を設けておき、これに生コンクリ−トを流し込んで深さ方向の途中に段差を形成した凹部を大型コンクリ−トブロックを作る。
次にウォ−ルポケットの背面側を凹部に嵌合した後、固定金具とボルトを用いて当該ポケットをブロック凹部の側面に固着する。
この状態の大型コンクリ−トブロックを出荷して現場に搬送し、現場においてウォ−ルポケット内に客土を詰めて植栽をした後、クレ−ンを使って当該ブロックを吊り上げて法面に沿って高さ方向に積み置きしていく。また横方向には隙間のないように並べて設置していく。
それでも、各ブロック間の隙間には適宜目地を詰めて間隙を塞いでおく。
【０００６】
【実施例】
次に、本発明に係るコンクリ−ト法面緑化用植栽装置の実施例を図面を以て説明する。図１は大型コンクリ−トブロックを高さ方向に積み重ね、また横方向に並べて設置した法面の正面図、図２は図１の側面図、図３は図２の一部の拡大図、図４は単位大型コンクリ−トブロックにウォ−ルポケットを取付けた斜視図、図５は図４の５−５線に沿う断面斜視図、図６はウォ−ルポケットの斜視図である。
【０００７】
図において、１は立方体を成す大型コンクリ−トブロックであり、図示例は１辺当たり１ｍの平行六面体を示してある。前記ブロックの奥行だけを８０ cｍ程度にすることもある。
２は当該ブロックの正面位置に形成したウォ−ルポケット嵌合用の凹部であり、その深さ方向の途中に当該ボケットの背面部位が当たる段差２1 を形成してある。前記段差の幅Ｗはウォ−ルポケットの肉厚部と同じとし、当該ポケットを凹部に嵌合したときにそのポケット内面と凹部の側面が同一面になるようにしてある。
３は正面壁４、左右側面壁５・５′と底面壁６を除く平面部位７と背面部位８が連なって開放しているコンクリ−ト製のウォ−ルポケットである。
７はウォ−ルポケット２を大型コンクリ−トプロック１に取付けるための固定金具、８は取付け用ボルトを示す。
【０００８】
【具体的な設置工程例】
上記の手段に基づく本発明の具体的な製造工程例を説明する。
「第１工程」
生コンリ−トの流し込み用立方形の大型の箱枠（図示省略）を作り、且つその正面に位置する部位にウォ−ルポケットの嵌合用型枠（図示省略）を設けておき、これに生コンクリ−トを流し込んで深さ方向Ｄの途中に段差２1 を形成した凹部２を大型コンクリ−トブロック１に作る。
「第２工程」
大型コンクリ−トブロック１の正面凹部２にウォ−ルポケット３を嵌合してその背面部を段差２1 に接するまで嵌合し、その嵌合するときにブロック面と嵌合用型枠接合部にボンドなどを塗布して接着効果と防水（漏水）効果を持たせる。そして、固定金具９をウォ−ルボケット３の内面と凹部側面に当ててボルト１０でねじ込み固定する。
「第３工程」
第２工程で製作した大型コンクリ−トブロック１に取付けたウォ−ルポケット３内に客土１１を入れ、さらにブロック凹部の奥まで詰めておく。そして、客土に所定の植栽をしておく。
「第４工程」
第３工程でウォ−ルポケット３内に植栽した大型コンクリ−トブロック１を現場まで搬送し、次いでクレ−ンで吊り上げて横方向に並べて設置すると共に高さ方向に積み上げていく。そして、各隣接するブロックの間隙には適宜目地を施す。
【０００９】
【発明の効果】
本発明に係るコンクリ−ト法面緑化用植栽方法及びその装置は上記の構成であるから、大型コンクリ−トブロックとウォ−ルボケットを予め施工現場から離れた場所で生産し、且つ組み立てておき、これを現場に搬送する方法によって、施工現場での擁壁設置工事を簡略化し、且つ作業のう効率化を図ることができる。
また、大型コンクリ−トブロックの凹部には深さ方向の途中に段差が形成されていることにより、ウォ−ルポケットの嵌合が所定位置で位置決め正確且つ簡単に行える。しかも、ウォ−ルポケットの背面よりさらに奥まで凹部が連続しているのでそれだけ余分に客土が充填できて植栽の根活着が確実になる。
なお、大型コンクリ−トブロックを法面に多数積み上げて擁壁を設置する工事において、必ずしも正面凹部に植栽を必要としない場合、正面に露呈する平滑な部分については化粧型枠（張り石や石積み風のもの）が多用される。
本発明によれば、ウォ−ルポケットが横幅８０ｃｍ、高さ６０ｃｍ、奥行３０ｃｍ程度に設定してあるから、これを取付けるコンクリ−トブロックの寸法は縦・横１ｍ、奥行８０ｃｍ〜１ｍのものを用いることによって重力式擁壁の緑化工事に当たり、どんなメ−カ−のものでも利用できる可能性がある。
従って、他メ−カ−そのほかサイズの異なる既製のコンクリ−トブロック製造用の箱型枠をそのまま利用し、ウォ−ルポケットのサイズだけを設定するだけで済み、コストの低減化を図ることもできる。
【図面の簡単な説明】
【図１】  大型コンクリ−トブロックを高さ方向に積み重ね、また横方向に並設した法面の正面図である。
【図２】  図１の側面図である。
【図３】  図２の一部の拡大図である。
【図４】  単位大型コンクリ−トブロックにウォ−ルポケットを取付けた斜視図である。
【図５】  図４の５−５線に沿う断面斜視図である。
【図６】  ウォ−ルポケットの斜視図である。
【符号の説明】
１  大型コンクリ−トブロック
２  コンクリ−トブロック正面の凹部
３  ウォ−ルポケット
４  ウォ−ルポケットの左側面壁
５  ウォ−ルポケットの右側面壁
６  ウォ−ルポケットの底面壁
７  ウォ−ルポケット開放平面部
８  ウォ−ルポケット開放背面部
９  ウォ−ルポケットの固定金具
10  ボルト
【図１】
0003712311.tif 000002
【図２】
0003712311.tif 000003
【図３】
0003712311.tif 000004
【図４】
0003712311.tif 000005
【図５】
0003712311.tif 000006
【図６】
0003712311.tif 000007